(57)【要約】【課題】レンズ枠に一体化されたシャッタと透過型フォトセンサとの干渉を回避し、外形寸法を短縮する。【解決手段】シャッタ４２は第２レンズ枠１４に取り付けられる。第１透過型フォトセンサ１７を、光学ブロック第１筐体５の撮影物側の外壁５aの内面に取り付ける一方、第２透過型フォトセンサ１８を、ＣＣＤ受光部側の外壁５b内に取り付ける。第１遮光板１９を第１レンズ枠１１の撮影物側の面に取り付ける一方、第２遮光板２０を遮光板取付部材４３の一側に設け、遮光板取付部材４３を第２レンズ枠１４の底部に取り付ける。こうして、シャッタ４２に対して第２レンズ枠１４側とは反対側に第２遮光板２０を配置して、シャッタ４２と第２透過型フォトセンサ１８との干渉を回避する。また、光軸に垂直な面への第２透過型フォトセンサ１８とシャッタ４２との投影面の一部が重なり合うように配置して、上記光軸に垂直な方向への長さを短縮する。【選択図】図７
2007316573.tif 000002
【特許請求の範囲】
【請求項１】
被写体からの光を集光するレンズと、
上記レンズを、このレンズの光軸方向に移動可能なように支持するレンズ枠と、
上記レンズ枠が移動時の基準となる原点に位置していることを検出する透過型フォトセンサと
を備え、
上記レンズ枠には、このレンズ枠が上記原点に位置している場合に上記透過型フォトセンサにおける受光部への入射光を遮光する遮光板と、上記レンズからの光の反被写体側への通過を制御するシャッタとが設けられており、
上記遮光板は、上記シャッタに対して上記レンズ枠側とは反対側の空間に配置されている
ことを特徴とする撮像装置。
【請求項２】
請求項１に記載の撮像装置において、
上記シャッタおよび上記遮光板は、上記光軸に対して垂直な面への上記シャッタの投影面と上記遮光板の投影面との少なくとも一部が互いに重なり合うように配置されている
ことを特徴とする撮像装置。
【請求項３】
請求項１あるいは請求項２に記載の撮像装置において、
上記遮光板は、上記レンズ枠と別部材で構成されており、上記レンズ枠に取り付け固定されている
ことを特徴とする撮像装置。
【請求項４】
請求項２あるいは請求項３に記載の撮像装置において、
上記レンズの光軸と同じ光軸を有すると共に、上記レンズとは異なる第２のレンズと、
上記シャッタが設けられている上記レンズ枠とは独立して、上記光軸方向に移動可能なように上記第２のレンズを支持する第２のレンズ枠と、
上記第２のレンズ枠が移動時の基準となる第２の原点に位置していることを検出する第２の透過型フォトセンサと
を備え、
上記第２のレンズ枠には、この第２のレンズ枠が上記第２の原点に位置している場合に上記第２の透過型フォトセンサにおける受光部への入射光を遮光する第２の遮光板が設けられており、
上記第２の遮光板は、上記光軸に対して垂直な面への上記シャッタの投影面と上記第２の遮光板の投影面との少なくとも一部が互いに重なり合うように配置されている
ことを特徴とする撮像装置。
【請求項５】
請求項４に記載の撮像装置において、
上記第２の遮光板は、上記第２のレンズ枠に対して上記シャッタが設けられた上記レンズ枠側とは反対側の空間に配置されている
ことを特徴とする撮像装置。
【発明の詳細な説明】
【技術分野】
【０００１】
この発明は、光学ズーム時に駆動されるレンズを含むに関する。
【背景技術】
【０００２】
従来、光学ズーム機能を有する撮像装置が知られている。このような撮像装置においては、光軸方向に摺動可能に案内支持された移動レンズ枠を光軸方向に駆動することによって、ズーム倍率の変更と焦点合わせとを行うことが可能になっている。
【０００３】
さらに、上述のような撮像装置では、上記移動レンズ枠の移動時の基準となる原点を検出するために、透過型フォトセンサが広く使用されている。そして、上記透過型フォトセンサの発光部と受光部との間を遮光するために、上記移動レンズ枠には遮光板を備えている。
【０００４】
上記移動レンズ枠の移動時の基準となる原点を検出する手段を有する撮像装置として、特開２００２‐２５８１３８号公報(特許文献１)に開示されたレンズ鏡筒がある。このレンズ鏡筒においては、鏡筒本体に固定されて光軸方向に延びるガイド部材に嵌合するスリーブをレンズ保持枠に一体的に取り付け、上記スリーブに取り付けられたフォトインタラプタ遮光板と上記鏡筒本体側の基板上に実装されたフォトインタラプタとからなる基準位置検出器と、上記スリーブに取り付けられたセンサマグネットとＭＲセンサとからなる移動量検出器とを設けている。
【０００５】
そして、上記フォトインタラプタ遮光板がフォトインタラプタの投光部と受光部との間を遮光する基準位置までレンズ保持枠を初期駆動した後、上記レンズ保持枠を目標位置に向けて駆動し、センサマグネットがＭＲセンサに対して移動するに伴って上記ＭＲセンサから出力されるパルス信号をカウントして所定のカウント値に達した時点でステッピングモータを停止させてレンズ保持枠を目標位置に停止させるようにしている。
【０００６】
このように、上記特許文献１に開示されたレンズ鏡筒においては、上記レンズ保持枠の移動量を検出するためのフォトインタラプタ遮光板およびセンサマグネットを上記レンズ保持枠に形成された上記スリーブに設けることによって、配線を簡略化するようにしている。
【０００７】
しかしながら、上記特許文献１に開示された従来のレンズ鏡筒においては、以下のような問題がある。
【０００８】
近年、デジタルカメラや携帯機器に内蔵されるカメラモジュールには、高いズーム比および高解像度だけではなく、小型化が求められている。そのために、駆動源であるモータや、動力を伝達するリードスクリュおよびギア等の部品が、高密度に実装されている。
【０００９】
そのために、上記特許文献１に開示されたレンズ鏡筒を、小型のデジタルカメラや携帯機器内蔵のカメラモジュールに適用する場合には、上記フォトインタラプタ遮光板およびセンサマグネットが設けられる上記スリーブには、動力を伝達する手段が近接している。したがって、スリーブの周囲に上記フォトインタラプタおよび上記ＭＲセンサを設ける一方、上記スリーブ自体に上記フォトインタラプタ遮光板および上記センサマグネットを設けるための空間を確保することが困難になるという問題が生ずる。
【００１０】
また、上記デジタルカメラやカメラモジュールでは、画像の品質を向上させるために機械式のシャッタが搭載される。特に、上記レンズ保持枠にシャッタが固定され、上記レンズ保持枠とシャッタとが一体となって駆動される場合には、シャッタとフォトインタラプタとの干渉を回避するために、フォトインタラプタとの距離を大きくとる必要があり、さらに小型化が困難になるという問題が生ずる。
【特許文献１】特開２００２‐２５８１３８号公報
【発明の開示】
【発明が解決しようとする課題】
【００１１】
そこで、この発明の課題は、レンズ枠に一体化されたシャッタと透過型フォトセンサとの干渉を回避し、外形寸法を短縮可能な撮像装置を提供することにある。
【課題を解決するための手段】
【００１２】
上記課題を解決するため、この発明の撮像装置は、
被写体からの光を集光するレンズと、
上記レンズを、このレンズの光軸方向に移動可能なように支持するレンズ枠と、
上記レンズ枠が移動時の基準となる原点に位置していることを検出する透過型フォトセンサと
を備え、
上記レンズ枠には、このレンズ枠が上記原点に位置している場合に上記透過型フォトセンサにおける受光部への入射光を遮光する遮光板と、上記レンズからの光の反被写体側への通過を制御するシャッタとが設けられており、
上記遮光板は、上記シャッタに対して上記レンズ枠側とは反対側の空間に配置されている
ことを特徴としている。
【００１３】
上記構成によれば、上記遮光板は、上記シャッタに対して上記レンズ枠側とは反対側の空間に配置されている。したがって、上記透過型フォトセンサを上記レンズ枠およびシャッタの移動範囲の外側に設置することができ、上記レンズ枠の原点を、上記シャッタと上記透過型フォトセンサとが互いに干渉することなく検出することができる。
【００１４】
また、１実施の形態の撮像装置では、
上記シャッタおよび上記遮光板は、上記光軸に対して垂直な面への上記シャッタの投影面と上記遮光板の投影面との少なくとも一部が互いに重なり合うように配置されている。
【００１５】
この実施の形態によれば、上記シャッタと上記遮光板とは、上記光軸に対して垂直な面への投影面の少なくとも一部が、互いに重なり合うように配置されている。したがって、上記透過型フォトセンサと上記シャッタとを、上記光軸に対して垂直な面への上記透過型フォトセンサの投影面と上記シャッタの投影面との少なくとも一部が互いに重なり合うように配置することができ、上記重なり合う長さの分だけ、当該撮像装置における上記光軸に垂直な方向への長さを短縮することができる。
【００１６】
また、１実施の形態の撮像装置では、
上記遮光板は、上記レンズ枠と別部材で構成されており、上記レンズ枠に取り付け固定されている。
【００１７】
この実施の形態によれば、上記遮光板を上記レンズ枠とは別部材で構成している。したがって、上記シャッタに対して上記レンズ枠側とは反対側の空間に配置される上記遮光板を、上記シャッタよりも構成部品が高密度に実装されてはおらず、構成も頑丈な上記レンズ枠に、簡単に且つ確実に取り付け固定することができる。
【００１８】
また、１実施の形態の撮像装置では、
上記レンズの光軸と同じ光軸を有すると共に、上記レンズとは異なる第２のレンズと、
上記シャッタが設けられている上記レンズ枠とは独立して、上記光軸方向に移動可能なように上記第２のレンズを支持する第２のレンズ枠と、
上記第２のレンズ枠が移動時の基準となる第２の原点に位置していることを検出する第２の透過型フォトセンサと
を備え、
上記第２のレンズ枠には、この第２のレンズ枠が上記第２の原点に位置している場合に上記第２の透過型フォトセンサにおける受光部への入射光を遮光する第２の遮光板が設けられており、
上記第２の遮光板は、上記光軸に対して垂直な面への上記シャッタの投影面と上記第２の遮光板の投影面との少なくとも一部が互いに重なり合うように配置されている。
【００１９】
この実施の形態によれば、上記シャッタと上記第２の遮光板とは、上記光軸に対して垂直な面への投影面の少なくとも一部が、互いに重なり合うように配置されている。したがって、上記第２の透過型フォトセンサと上記シャッタとを、上記光軸に対して垂直な面への上記第２の透過型フォトセンサの投影面と上記シャッタの投影面との少なくとも一部が互いに重なり合うように配置することができ、上記重なり合う長さの分だけ、当該撮像装置における上記光軸に垂直な方向への長さを短縮することができる。
【００２０】
また、１実施の形態の撮像装置では、
上記第２の遮光板は、上記第２のレンズ枠に対して上記シャッタが設けられた上記レンズ枠側とは反対側の空間に配置されている。
【００２１】
この実施の形態によれば、上記第２の遮光板は、上記第２のレンズ枠に対して、上記シャッタが設けられた上記レンズ枠側とは反対側の空間に配置されている。したがって、上記第２の透過型フォトセンサを上記第２のレンズ枠の移動範囲の外側に設置することができ、上記２つのレンズ枠における移動範囲の重なる部分が大きい場合であっても、上記２つのレンズ枠の原点を、上記シャッタと上記２つの透過型フォトセンサとが互いに干渉することなく検出することができるのである。
【発明の効果】
【００２２】
以上より明らかなように、この発明の撮像装置は、レンズ枠に、このレンズ枠が原点に位置している場合に透過型フォトセンサにおける受光部への入射光を遮光する遮光板とシャッタとを設け、上記遮光板を、上記シャッタに対して上記レンズ枠側とは反対側の空間に配置しているので、上記透過型フォトセンサを上記レンズ枠およびシャッタの移動範囲の外側に設置することができる。したがって、上記レンズ枠の原点を、上記シャッタと上記透過型フォトセンサとが互いに干渉することなく検出することができる。
【００２３】
さらに、上記シャッタおよび上記遮光板を、上記光軸に対して垂直な面への上記シャッタの投影面と上記遮光板の投影面との少なくとも一部が互いに重なり合うように配置すれば、上記透過型フォトセンサと上記シャッタとを、上記光軸に対して垂直な面への上記透過型フォトセンサの投影面と上記シャッタの投影面との少なくとも一部が互いに重なり合うように配置することができる。したがって、上記重なり合う長さの分だけ、当該撮像装置における上記光軸に垂直な方向への長さを短縮することができる。
【００２４】
さらに、上記レンズ枠とは独立した第２のレンズ枠に、この第２のレンズ枠が第２の原点に位置している場合に第２の透過型フォトセンサにおける受光部への入射光を遮光する第２の遮光板を設け、上記第２の遮光板を、上記光軸に対して垂直な面への上記シャッタの投影面と上記第２の遮光板の投影面との少なくとも一部が互いに重なり合うように配置すれば、上記第２の透過型フォトセンサと上記シャッタとを、上記光軸に対して垂直な面への上記第２の透過型フォトセンサの投影面と上記シャッタの投影面との少なくとも一部が互いに重なり合うように配置することができる。したがって、上記重なり合う長さの分だけ、当該撮像装置における上記光軸に垂直な方向への長さを短縮することができる。
【００２５】
さらに、上記第２の遮光板を、上記第２のレンズ枠に対して上記シャッタが設けられた上記レンズ枠側とは反対側の空間に配置しているので、上記第２の透過型フォトセンサを上記第２のレンズ枠の移動範囲の外側に設置することができる。したがって、上記２つのレンズ枠における移動範囲の重なる部分が大きい場合であっても、上記２つのレンズ枠の原点を、上記シャッタと上記２つの透過型フォトセンサとが互いに干渉することなく検出することができる。
【発明を実施するための最良の形態】
【００２６】
以下、この発明を図示の実施の形態により詳細に説明する。図１は、本実施の形態の撮像装置における外観斜視図である。また、図２は、図１に示す撮像装置を、光学ブロックと駆動ブロックとＣＣＤ(Charge Coupled Device)基板とに分解した状態を示す。尚、本撮像装置は、携帯機器に内蔵することを目的とした小型の撮像装置である。
【００２７】
図１および図２に示すように、本撮像装置は、レンズ等の光学系を含む光学ブロック１と、ステッピングモータ等のレンズ枠を駆動させる駆動部品群を含む駆動ブロック２と、ＣＣＤ基板３とから概略構成されている。そして、光学ブロック１と駆動ブロック２とはネジ４と接着剤とによって接合され、ＣＣＤ基板３は光学ブロック１と接着剤によって接合されている。
【００２８】
図３は、上記光学ブロック１の概観を示す。光学ブロック１は、レンズ枠および案内軸が収納された光学ブロック第１筐体５と、光学ブロック第１筐体５の開口部を閉鎖する光学ブロック第２筐体６とを含んで構成されている。光学ブロック第１筐体５には、組立時の作業性を良くするために大きな開口部を設けている。そして、上記レンズ枠や案内軸を光学ブロック第１筐体５に組み付けた後に、光学ブロック第２筐体６を光学ブロック第１筐体５の開口部の周囲に接合することによって、光学ブロック第１筐体５の開口部の一部が閉鎖される。光学ブロック第１筐体５における残りの開口部は、駆動ブロック２が接合されることによって閉鎖される。
【００２９】
上記光学ブロック第１筐体５は、撮影物に最も近い外壁５aは第１レンズ７を、ＣＣＤ受光部８に最も近い外壁５bは第４レンズ９を、夫々の光軸が一致するように支持固定している。
【００３０】
第２レンズ１０を支持する第１レンズ枠１１は、第２レンズ１０の光軸(第１,第４レンズ７,９の光軸と一致)方向に突出した突出部１１aを有しており、この突出部１１aに光軸方向に穿たれた軸穴には第１主案内軸１２が挿通されている。こうして、第１レンズ枠１１は光軸方向に摺動可能に案内支持されている。また、第３レンズ１３を支持する第２レンズ枠１４は、第３レンズ１３の光軸(第１,第２,第４レンズ７,１０,９の光軸と一致)方向に突出した突出部１４aを有しており、この突出部１４aに光軸方向に穿たれた軸穴には第２主案内軸１５が挿通されている。こうして、第２レンズ枠１４は光軸方向に摺動可能に案内支持されている。さらに、第１レンズ枠１１と第２レンズ枠１４とはガイド溝を有し、このガイド溝を貫通している副案内軸１６によって、第１,第２レンズ枠１１,１４が第１主案内軸１２および第２主案内軸１５の回りに回転することが抑止されている。
【００３１】
筐体を成す上記光学ブロック第１筐体５には、上記第１主案内軸１２の両端を支持固定する第１主案内軸受け１２a１２bと、第２主案内軸１５の両端を支持固定する第２主案内軸受け１５a,１５bと、副案内軸１６の両端を支持固定する副案内軸受け１６a,１６bとが設けられている。
【００３２】
図４は、上記光学ブロック第１筐体５における第１主案内軸１２および第２主案内軸１５の軸心を通る縦断面を示す。光学ブロック第１筐体５の撮影物側の外壁５aには、第１主案内軸受け部１２a,第２主案内軸受け１５aおよび副案内軸受け部１６aが設けられている。また、光学ブロック第１筐体５のＣＣＤ基板３側の外壁５bには、第１主案内軸受け部１２b,第２主案内軸受け１５bおよび副案内軸受け部１６bが設けられている。ここで、第１主案内軸軸受け部１２a,１２b、第２主案内軸受け部１５a,１５b、副案内軸受け部１６a,１６bは、夫々光学ブロック第１筐体５に穿たれた貫通孔であり、各貫通孔の中心は光軸に対して平行である。そして、第１主案内軸１２,第２主案内軸１５および副案内軸１６の両端は、第１主案内軸受け１２a１２b,第２主案内軸受け１５a,１５bおよび副案内軸受け１６a,１６bに圧入されて、支持固定されている。
【００３３】
上述したように、上記第１主案内軸受け１２a,１２bと、第２主案内軸受け１５a,１５bと、副案内軸受け１６a,１６bとは、一体の部品として成形されている。そのために、金型の調整によって夫々の相対位置精度を高めることが可能である。つまり、第１主案内軸１２と第２主案内軸１５との平行度を高めるように調整することが可能なのである。したがって、主案内軸が２本存在していても、第１レンズ枠１１と第２レンズ枠１４とのレンズ枠同士の位置精度が高く、良好な光学特性を得ることができるのである。
【００３４】
図５および図６は、上記光学ブロック第１筐体５内における第１レンズ枠１１および第２レンズ枠１４の概観を示す斜視図である。また、図７は、第１レンズ枠１１および第２レンズ枠１４の概観を示す平面図である。第１レンズ枠１１は第２レンズ１０を支持し、第２レンズ枠１４は第３レンズ１３を支持しており、第２レンズ１０および第３レンズ１３の光軸は、第１レンズ７および第４レンズ９の光軸と一致している。
【００３５】
図７に示すように、上記光学ブロック第１筐体５内には、第１レンズ枠１１および第２レンズ枠１４における移動時の原点を検出する原点センサとして、第１,第２透過型フォトセンサ１７,１８が配置されている。また、第１レンズ枠１１および第２レンズ枠１４には、第１,第２遮光板１９,２０が取り付けられている。そして、第１,第２遮光板１９,２０が第１,第２透過型フォトセンサ１７,１８の発光部と受光部との間を遮光することによって、第１,第２レンズ枠１１,１４が原点に位置していることが検出される。
【００３６】
また、上記光学ブロック第１筐体５内には、上記第１レンズ枠１１および第２レンズ枠１４を後に詳述する推力付加手段に対して常時押圧して、上記推力付加手段による駆動時に「がた」が発生するのを抑制するための第１押圧ばね２１および第２押圧ばね２２が配置されている。その場合、第１,第２押圧ばね２１,２２は、光学ブロック第１筐体５と第１,第２レンズ枠１１,１４との間に配置されると共に、第１押圧ばね２１には第１主案内軸１２が挿通される一方、第２押圧ばね２２には第２主案内軸１５が挿通されている。
【００３７】
図８および図９は、上記光学ブロック１に接続された上記駆動ブロック２を示す。駆動ブロック２は、駆動ブロック第１筐体２５および駆動ブロック第２筐体２６を含んで構成されている。駆動ブロック第１筐体２５と駆動ブロック第２筐体２６とは、第１モータ２７,第２モータ２８,第１ギア２９,第２ギア３０,第１リードスクリュ３１および第２リードスクリュ３２を挟持しており、駆動ブロック第１筐体２５と駆動ブロック第２筐体２６とは互いにネジ３３で締結されている。
【００３８】
上記第１ギア２９,第２ギア３０,第１リードスクリュ３１および第２リードスクリュ３２は、夫々の中心軸の回りに回転可能に支持されている。第１モータ２７はステッピングモータであり、その出力軸には出力ギア３４が取り付けられている。そして、この出力ギア３４は第１ギア２９と歯合しており、第１ギア２９は第１リードスクリュ３１の入力ギア３５と歯合している。第１リードスクリュ３１の出力ギア３６には、貫通孔にめねじが切られた板状の第１推力板３７が螺合され、第１推力板３７は第１レンズ枠１１に上記撮影物側から当接するようになっている。ここで、第１推力板３７における上記めねじの中心軸は、第１レンズ枠１１との当接面に対して垂直であるため、第１リードスクリュ３１が回転すると第１推力板３７は第１リードスクリュ３１の中心軸に対して平行に移動することになる。さらに、第１リードスクリュ３１はレンズ系の光軸と平行に配置されているため、第１モータ２７の回転は第１レンズ枠１１の光軸方向への推力となるのである。
【００３９】
上記第２モータ２８,第２モータ２８の出力ギア３８,第２ギア３０,第２リードスクリュ３２の入力ギア３９,第２リードスクリュ３２の出力ギア４０,第２推力板４１および第２レンズ枠１４も、上述した第１モータ２７〜第１レンズ枠１１の場合と同様の構成を有している。但し、第２推力板４１は第２レンズ枠１４にＣＣＤ基板３側から当接するようになっている。すなわち、上記推力付加手段とは、第１モータ２７,第１モータ２７の出力ギア３４,第１ギア２９,第１リードスクリュ３１の入力ギア３５,第１リードスクリュ３２の出力ギア３６および第１推力板３７と、第２モータ２８,第２モータ２８の出力ギア３８,第２ギア３０,第２リードスクリュ３２の入力ギア３９,第２リードスクリュ３２の出力ギア４０および第２推力板４１とを、指すのである。
【００４０】
さて、本実施の形態における撮像装置においては、上記第２レンズ枠１４にシャッタ４２が固定されており、第２レンズ枠１４とシャッタ４２とは第２モータ２８によって一体に駆動される。
【００４１】
ところで、高倍率で且つ小型の撮像装置においては、上記第１レンズ枠１１と上記第２レンズ枠１４との最接近距離が短い。しかも、図７に示すように、第１レンズ枠１１と第２レンズ枠１４とにおける移動範囲の重なる部分が大きい。したがって、第１,第２透過型フォトセンサ１７,１８を第１レンズ枠１１と第２レンズ枠１４との間に設置した場合には、第１,第２透過型フォトセンサ１７,１８は第１,第２レンズ枠１１,１４およびシャッタ４２と干渉することになる。
【００４２】
そこで、本実施の形態においては、図７に示すように、上記第１,第２透過型フォトセンサ１７,１８を、第１レンズ枠１１の移動範囲と第２レンズ枠１４の移動範囲とが重なり合わない、夫々の移動範囲の外側に設置している。ここで、上記移動範囲とは、シャッタ４２,第２レンズ１０および第３レンズ１３を含む第１,第２レンズ枠１１,１４の外形が移動する際に通過する範囲である。つまり、上記第１レンズ枠１１の原点を検出する第１透過型フォトセンサ１７は、光学ブロック第１筐体５における上記撮影物に最も近い外壁５aの内面に取り付け固定する。また、上記第２レンズ枠１４の原点を検出する第２透過型フォトセンサ１８は、ＣＣＤ受光部８に最も近い外壁５b内に取り付け固定するのである。
【００４３】
ここで、上記シャッタ４２は、第２レンズ枠１４におけるＣＣＤ基板３側の面に固定されている。そこで、図７および図１０に示すように、コ字状の水平断面を有する本体の一側に第２遮光板２０を設ける一方、他側には取付板４４を設けてなる遮光板取付部材４３を、第２レンズ枠１４およびシャッタ４２とは別体に形成する。そして、遮光板取付部材４３の取付板４４を、第２レンズ枠１４の底部に取り付ける。こうして、第２レンズ枠１４の側部とシャッタ４２の側部とを回り込んでシャッタ４２に対して第２レンズ枠１４側とは反対側の空間に第２遮光板２０を配置するのである。こうすることによって、第２レンズ枠１４の原点を、シャッタ４２と第２透過型フォトセンサ１８とが互いに干渉することなく検出することが可能になる。
【００４４】
上記シャッタ４２に対して第２レンズ枠１４側の空間に第２遮光板２０を配置する場合には、光軸に対して垂直な面への第２透過型フォトセンサ１８の投影面とシャッタ４２の投影面とが重ならないように第２透過型フォトセンサ１８を設置しなければ、第２レンズ枠１４が光軸方向に移動された際に、第２透過型フォトセンサ１８とシャッタ４２とに干渉が生ずることになる。
【００４５】
これに対して、本実施の形態のごとく上記第２遮光板２０を配置した場合には、シャッタ４２よりも第２遮光板２０の方が第２透過型フォトセンサ１８側にある。したがって、光軸に対して垂直な面へのシャッタ４２の投影面と第２遮光板２０の投影面との一部が重なり合うように構成することができる。そして、このように構成した場合には、光軸に対して垂直な面への第２透過型フォトセンサ１８の投影面とシャッタ４２の投影面との一部が重なり合うように配置することができる。したがって、上記重なり合う長さの分だけ、本撮像装置の外形を短縮することが可能になるのである。
【００４６】
また、上記第１レンズ枠１１には、上記第１遮光板１９が、第１レンズ枠１１に対してシャッタ４２が固定された第２レンズ枠１４側とは反対側の空間に形成されている。したがって、第１透過型フォトセンサ１７を上記第２レンズ枠１４の移動範囲外に配置することができ、シャッタ４２と第１透過型フォトセンサ１７との干渉を回避することが可能になる。また、第１透過型フォトセンサ１７も、光軸に対して垂直な面への第１透過型フォトセンサ１７の投影面とシャッタ４２の投影面との一部が重なり合うように、配置されている。そのために、上記重なり合う長さの分だけ本撮像装置の外形を短縮することが可能になる。
【００４７】
以上のごとく、本実施の形態においては、同一光軸を有するように配置された第１レンズ７,第２レンズ１０,第３レンズ１３および第４レンズ９のうち、ズーム倍率の変更と焦点合わせとを行う第２レンズ１０および第３レンズ１３は、第１レンズ枠１１および第２レンズ枠１４によって光軸方向に移動可能なように支持されている。さらに、第２レンズ枠１４にはシャッタ４２が取り付け固定されて、第２レンズ枠１４とシャッタ４２とが一体に駆動されるようになっている。
【００４８】
そして、上記第１レンズ枠１１の原点を検出する第１透過型フォトセンサ１７を、光学ブロック第１筐体５における上記撮影物に最も近い外壁５aの内面に取り付け固定する。一方、第２レンズ枠１４の原点を検出する第２透過型フォトセンサ１８を、ＣＣＤ受光部８に最も近い外壁５b内に取り付け固定する。また、第１レンズ枠１１が原点に位置している場合に第１透過型フォトセンサ１７の発光部と受光部との間を遮光する第１遮光板１９を、第１レンズ枠１１における上記撮影物側の面に取り付けている。一方、第２レンズ枠１４が原点に位置している場合に第２透過型フォトセンサ１８の発光部と受光部との間を遮光する第２遮光板２０を、断面がコ字状の本体を有する遮光板取付部材４３の一側に設けると共に、遮光板取付部材４３の取付板４４を第２レンズ枠１４の底部に取り付けている。こうして、第２レンズ枠１４の側部とシャッタ４２の側部とを回り込んで、シャッタ４２に対して第２レンズ枠１４側とは反対側の空間に第２遮光板２０を配置するようにしている。
【００４９】
したがって、図７に示すように、上記第１レンズ枠１１と上記第２レンズ枠１４とにおける移動範囲の重なる部分が大きい場合であっても、第２レンズ枠１４の原点を、シャッタ４２と第２透過型フォトセンサ１８とが互いに干渉することなく、且つ、シャッタ４２と第１透過型フォトセンサ１７とが互いに干渉することなく、検出することができるのである。
【００５０】
また、光軸に対して垂直な面へのシャッタ４２の投影面と第２遮光板２０の投影面、つまり、光軸に対して垂直な面への第２透過型フォトセンサ１８の投影面とシャッタ４２の投影面との一部が、互いに重なり合うように配置することができる。したがって、上記重なり合う長さの分だけ、本撮像装置の上記光軸に垂直な方向への長さを短縮できるのである。
【００５１】
また、光軸に対して垂直な面へのシャッタ４２の投影面と第１遮光板１９の投影面、つまり、光軸に対して垂直な面へのシャッタ４２の投影面と第１透過型フォトセンサ１７の投影面との一部が、互いに重なり合うように配置することができる。したがって、上記重なり合う長さの分だけ、本撮像装置の上記光軸に垂直な方向への長さを短縮できるのである。
【００５２】
尚、上記実施の形態においては、上記第２レンズ枠１４に取り付けられる第２遮光板２０は、第２レンズ枠１４とは別部材で構成されている。ここで、第２レンズ枠１４に第２遮光板２０を取り付ける代わりに、シャッタ４２に第２遮光板２０を取り付ける方法がある。しかしながら、シャッタ４２の内部には機構部品が高密度に実装されており、シャッタ４２は第２レンズ枠１４と一体に移動するために、外形寸法を大きくすることができない。また、軽量であることが求められるため、シャッタ４２の外壁は薄く、第２遮光板２０の取り付けが困難である。そこで、本実施の形態においては、第２レンズ枠１４に第２遮光板２０を設けるのである。
【００５３】
しかしながら、上記第２レンズ枠１４と、シャッタ４２の側部を回り込む部材と、第２遮光板２０とを、一体に成形することは難しい。そこで、本実施の形態においては、遮光板取付部材４３を第２レンズ枠１４と別部材に構成することによって、第２遮光板２０の成形を容易にしているのである。
【図面の簡単な説明】
【００５４】
【図１】この発明の撮像装置における外観斜視図である。
【図２】図１に示す撮像装置を光学ブロックと駆動ブロックとＣＣＤ基板とに分解した状態を示す図である。
【図３】図２における光学ブロックの概観を示す図である。
【図４】図３における光学ブロック第１筐体における縦断面図である。
【図５】上記光学ブロック第１筐体内における第１,第２レンズ枠の概観を示す斜視図である。
【図６】図５とは異なる第１,第２レンズ枠の概観を示す斜視図である。
【図７】上記光学ブロック第１筐体内における第１,第２レンズ枠の概観を示す平面図である。
【図８】上記光学ブロックに接続された上記駆動ブロックを示す斜視図である。
【図９】上記光学ブロックに接続された上記駆動ブロックを示す上記ＣＣＤ基板側から見た背面図である。
【図１０】上記第２レンズ枠に対する第２遮光板の取り付け方法の説明図である。
【符号の説明】
【００５５】
１…光学ブロック、
２…駆動ブロック、
３…ＣＣＤ基板、
５…光学ブロック第１筐体、
５a,５b…光学ブロック第１筐体５の外壁、
６…光学ブロック第２筐体、
７…第１レンズ、
８…ＣＣＤ受光部、
９…第４レンズ、
１０…第２レンズ、
１１…第１レンズ枠、
１１a…第１レンズ枠１１の突出部、
１２…第１主案内軸、
１２a,１２b…第１主案内軸受け部、
１３…第３レンズ、
１４…第２レンズ枠、
１４a…第２レンズ枠１４の突出部、
１５…第２主案内軸、
１５a,１５b…第２主案内軸受け、
１６…副案内軸、
１６a,１６b…副案内軸受け部、
１７…第１透過型フォトセンサ、
１８…第２透過型フォトセンサ、
１９…第１遮光板、
２０…第２遮光板、
２１…第１押圧ばね、
２２…第２押圧ばね、
２５…駆動ブロック第１筐体、
２６…駆動ブロック第２筐体、
２７…第１モータ、
２８…第２モータ、
２９…第１ギア、
３０…第２ギア、
３１…第１リードスクリュ、
３２…第２リードスクリュ、
３４…第１モータ２７の出力ギア、
３５…第１リードスクリュ３１の入力ギア、
３６…第１リードスクリュ３１の出力ギア、
３７…第１推力板、
３８…第２モータ２８の出力ギア、
３９…第２リードスクリュ３２の入力ギア、
４０…第２リードスクリュ３２の出力ギア、
４１…第２推力板、
４２…シャッタ、
４３…遮光板取付部材。
【図１】
2007316573.tif 000003
【図２】
2007316573.tif 000004
【図３】
2007316573.tif 000005
【図４】
2007316573.tif 000006
【図５】
2007316573.tif 000007
【図６】
2007316573.tif 000008
【図７】
2007316573.tif 000009
【図８】
2007316573.tif 000010
【図９】
2007316573.tif 000011
【図１０】
2007316573.tif 000012